(57)【要約】【課題】予測できる不必要な制御負荷停止を抑制することとしたデマンド監視制御装置を提供する。【解決手段】所定時間毎の使用電力量を算出する電力量処理手段３と、算出されたデマンド時限終了時の使用電力量である予測デマンドが予め定められた上限電力量を超えるときに優先順位の低い順に制御負荷を停止し、上限電力量を超えないときに前記停止した制御負荷を優先順位の高い順に運転させる運転制御手段４と、運転開始から停止までの時間が一定で他の制御負荷よりも優先順位の低い特定負荷の運転状態を示す特定負荷運転信号により、特定負荷の状態を検知する特定負荷運転検知手段５とを備え、前記特定負荷運転時において現時点の使用電力量と前記特定負荷が運転状態から停止状態に遷移する予め設定された特定負荷運転時間後に特定負荷が停止した状態の使用電力量からデマンド時限終了時の使用電力量を算出する。【選択図】  図１
2009177858.tif 000002
【特許請求の範囲】
【請求項１】
負荷の使用電力量を計測する電力量計からの信号に基づいて所定時間毎の使用電力量を算出する電力量処理手段と、算出されたデマンド時限終了時の使用電力量である予測デマンドが予め定められた上限電力量を超えるときに優先順位の低い制御負荷から順に制御負荷を停止し、前記予測デマンドが上限電力量を超えないときに前記停止した制御負荷を優先順位の高い制御負荷から順に運転させる運転制御手段と、運転開始から停止までの時間が一定で他の制御負荷よりも優先順位の低い特定負荷の運転状態を示す特定負荷運転信号により、前記特定負荷の状態を検知する特定負荷運転検知手段とを備え、前記特定負荷運転時において現時点の使用電力量と前記特定負荷が運転状態から停止状態に遷移する予め設定された特定負荷運転時間後に特定負荷が停止した状態の使用電力量からデマンド時限終了時の使用電力量を算出することを特徴としたデマンド監視制御装置。
【請求項２】
前記特定負荷が運転状態から停止状態に遷移する予め設定された特定負荷運転時間後、予め定められた時間だけ停止信号を出力する特定負荷停止用リレーを設けたことを特徴とする請求項１に記載のデマンド監視制御装置。
【請求項３】
前記特定負荷の一定期間の運転状態を記録する履歴機能を設けたことを特徴とする請求項１または２に記載のデマンド監視制御装置。
【請求項４】
前記特定負荷停止状態において特定負荷を運転させることで予測デマンドが予め定められた上限電力量を超えて制御負荷を停止させてしまう状態であれば、特定負荷投入余裕なしランプが点灯する特定負荷投入余裕なしランプを設けたことを特徴とする請求項１〜３のいずれか１項に記載のデマンド監視制御装置。
【請求項５】
前記特定負荷停止状態において特定負荷を運転させることで予測デマンドが予め定められた上限電力量を超えて制御負荷を停止させてしまう状態であれば、特定負荷投入用リレーがＯＦＦする特定負荷投入用リレーを設けたことを特徴とする請求項１〜４のいずれか１項に記載のデマンド監視制御装置。
【発明の詳細な説明】
【技術分野】
【０００１】
本発明は３０分などのデマンド時限における使用電力量が契約した最大需要電力量を超えないように制御するデマンド監視制御装置に関するものである。
【背景技術】
【０００２】
従来、この種のデマンド制御は、現在デマンドＰとΔＰ／Δｔの傾きを求めて、残り時間からデマンド時限終了時の予測デマンドＰｆを算出し、予め定められた目標デマンドＰｑを超えると予測したときに優先順位の低い制御負荷から順に制御負荷を停止し、目標デマンドＰｑを超えないと予測したときに前記停止した制御負荷を優先順位の高い制御負荷から順に運転させる（例えば、特許文献１参照）。図１３は、特許文献１に記載された従来のデマンド監視制御装置による予測デマンドＰｆ算出方法を示す図である。図１３に示すように現在デマンドＰとΔＰ／Δｔの傾きを求めて、残り時間からデマンド時限終了時の予測デマンドＰｆを求めるものである。
【０００３】
また、デマンド時限終了間際の所定時間内に投入される負荷において、使用要求有無の確認を行った上で、使用許可、禁止を判断するものがある。また、優先順位の低い他の負荷を遮断した後に、使用要求のあった負荷の使用許可、禁止を判断するものもある。（例えば、特許文献２参照）
【特許文献１】特開２０００−５０５００号公報
【特許文献２】特開２００５−１０２４７３号公報
【発明の開示】
【発明が解決しようとする課題】
【０００４】
しかしながら、特許文献１の発明の構成では、現在デマンドＰとΔＰ／Δｔの傾きを求めて、残り時間からデマンド時限終了時の予測デマンドＰｆを算出するものなので、現時点で運転されている負荷がまもなく停止することがわかっているにも拘わらず、現時点での予測結果に基づき制御負荷を停止してしまうケースがあるという課題を有していた。
【０００５】
また、特許文献２の発明の構成では、デマンド時限終了間際の所定時間内に投入される負荷において、使用要求のあった負荷の使用許可、禁止を使用要求のあった負荷を含めた被監視量の総和から判断することで、デマンドオーバーを抑制することはできるが、使用要求のあった負荷の１回の運転時間を前記デマンド監視制御装置では判断できないため、使用要求のあった負荷は残り時間すべて運転するものとして予測デマンドを算出する。例えば、短時間しか運転しない使用電力量の大きな負荷などが使用要求すると前記予測デマンドの算出方法では使用許可されないケースが発生していた。また、所定時間前の時間帯では、被監視量の使用要求を全て許可するものであるが、前記算出方法では不必要に制御負荷を停止するケースが発生していた。
【０００６】
本発明は、上記問題点を解消し、予測できる不必要な制御負荷停止を抑制することとしたデマンド監視制御装置を提供することを目的とする。
【課題を解決するための手段】
【０００７】
請求項１の発明は、負荷の使用電力量を計測する電力量計からの信号に基づいて所定時間毎の使用電力量を算出する電力量処理手段と、算出されたデマンド時限終了時の使用電力量である予測デマンドが予め定められた上限電力量を超えるときに優先順位の低い制御負荷から順に制御負荷を停止し、前記予測デマンドが上限電力量を超えないときに前記停止した制御負荷を優先順位の高い制御負荷から順に運転させる運転制御手段と、運転開始から停止までの時間が一定で他の制御負荷よりも優先順位の低い特定負荷の運転状態を示す特定負荷運転信号により、前記特定負荷の状態を検知する特定負荷運転検知手段とを備え、前記特定負荷運転時において現時点の使用電力量と前記特定負荷が運転状態から停止状態に遷移する予め設定された特定負荷運転時間後に特定負荷が停止した状態の使用電力量からデマンド時限終了時の使用電力量を算出することを特徴としたデマンド監視制御装置であり、請求項２の発明は、特定負荷が運転状態から停止状態に遷移する予め設定された特定負荷運転時間後、予め定められた時間だけ停止信号を出力する特定負荷停止用リレーを設けたことを特徴とする請求項１に記載のデマンド監視制御装置であり、請求項３の発明は、前記特定負荷の一定期間の運転状態を記録する履歴機能を設けたことを特徴とする請求項１または２に記載のデマンド監視制御装置であり、請求項４の発明は、前記特定負荷停止状態において特定負荷を運転させることで予測デマンドが予め定められた上限電力量を超えて制御負荷を停止させてしまう状態であれば、特定負荷投入余裕なしランプが点灯する特定負荷投入余裕なしランプを設けたことを特徴とする請求項１から３のいずれか１項に記載のデマンド監視制御装置であり、請求項５の発明は、特定負荷停止状態において特定負荷を運転させることで予測デマンドが予め定められた上限電力量を超えて制御負荷を停止させてしまう状態であれば、特定負荷投入用リレーがＯＦＦする特定負荷投入用リレーを設けたことを特徴とする請求項１から４のいずれか１項に記載のデマンド監視制御装置である。
【発明の効果】
【０００８】
本発明のデマンド監視制御装置は、前記特定負荷が運転しており、まもなく前記特定負荷が停止することがわかっているにも拘わらず、他の制御負荷を不必要に停止させるケースを抑制することができる。
【０００９】
請求項１の発明のデマンド監視制御装置は、前記特定負荷の運転状態を示す特定負荷運転信号により、前記特定負荷の状態を検知する特定負荷運転検知手段を設けたことにより、デマンド監視制御装置は、現時点ｔ０で前記特定負荷の運転停止状態が判断でき、現時点ｔ０で特定負荷が運転状態であれば、特定負荷運転時は単位時間Δｔあたりの使用電力量ΔＰ０を、特定負荷運転時間ｔ３後に特定負荷停止時は単位時間Δｔあたりの使用電力量ΔＰ０から予め定められた前記特定負荷の使用電力量ΔＰ１を差し引いた値から予測デマンドを算出することで、予測デマンドの精度を向上させ、不必要な制御負荷停止が抑制される。
【００１０】
請求項２の発明は、特に、請求項１の発明のデマンド監視制御装置に前記特定負荷が運転状態から停止状態に遷移する予め設定された特定負荷運転時間ｔ３後、予め定められた時間だけ停止信号を出力する特定負荷停止用リレーを設けたことで、前記特定負荷停止用リレーの出力を前記特定負荷の停止信号として使用することにより、特定負荷が連続運転できなくなり、予め設定された特定負荷運転時間ｔ３と実際の特定負荷運転時間のギャップを少なくすることができる。
【００１１】
請求項３の発明は、特に、請求項１または２の発明のデマンド監視制御装置に前記特定負荷の一定期間の運転状態を記録する履歴機能を設けたことにより、実際の特定負荷の運転時間、運転回数などの値が把握でき、前記値を参考に定期的に特定負荷運転時間ｔ３の再設定をすることで、予め設定された特定負荷運転時間ｔ３と実際の特定負荷運転時間のギャップが少なくなり、更に不必要な制御負荷停止を抑制することができる。
【００１２】
請求項４の発明は、特に、請求項１から３のいずれか１つの発明のデマンド監視制御装置に、前記特定負荷停止状態において特定負荷を運転させることで予測デマンドが予め定められた上限電力量を超えて制御負荷を停止させてしまう状態であれば、特定負荷投入余裕なしランプが点灯する特定負荷投入余裕なしランプを設けたことにより、特定負荷よりも優先順位の高い他の制御負荷を停止させることなく特定負荷を投入することができるかどうか容易に判断できることにより、特定負荷の投入のタイミングが判断し易い。
【００１３】
請求項５の発明は、特に、請求項１から４のいずれか１つの発明のデマンド監視制御装置で特定負荷停止状態において特定負荷を運転させることで予測デマンドが予め定められた上限電力量を超えて制御負荷を停止させてしまう状態であれば、特定負荷投入用リレーがＯＦＦする特定負荷投入用リレーを設けたことにより、前記リレー出力を特定負荷の運転制御信号として使用することにより、前記特定負荷の投入により特定負荷よりも優先順位の高い他の制御負荷を停止させてしまうことを防止することができる。
【発明を実施するための最良の形態】
【００１４】
以下、本発明の実施の形態について、図面を参照しながら説明する。なお、この実施の形態によって本発明が限定されるものではない。
【００１５】
図２はデマンド監視制御装置の構成を示すブロック図である。デマンド監視制御装置の構成は、図２において電力量計６、制御負荷ａ９、制御負荷ｂ１０、制御負荷ｃ１１、特定負荷１２の外部機器を破線で示すデマンド監視制御装置本体が制御するもので、デマンド監視制御装置内部においては、電力量処理手段３、運転制御手段４、特定負荷運転検知手段５などマイコンを用いて制御する制御部、リレー回路７、特定負荷停止用リレー８、特定負荷投入用リレー１５などのリレーによる出力部、特定負荷投入余裕ありランプ１３、特定負荷投入余裕なしランプ１４、特定負荷運転ランプ１６などのＬＥＤと表示用ＬＣＤ１７、入力用キー１８などの操作表示部により構成される。例えば、一般的な工場においてデマンド監視制御を実施する際、前記デマンド監視制御装置が監視制御する外部機器は、サーバールームの空調機を優先順位の最も高い制御負荷とし、以下優先順位の高いものから事務所内の空調機、作業場の空調機を各制御負荷とし、これら制御負荷よりも優先順位の低い負荷で、かつ、運転開始から停止までの時間が一定な荷物用エレベータの電動機を特定負荷とする。
【００１６】
以上のように構成されたデマンド監視制御装置について、以下その動作、作用を説明する。電力量計６の出力パルスを電力量処理手段３により所定時間毎に使用電力量を算出する。また、特定負荷１２からの運転信号により、特定負荷運転検知手段５で特定負荷１２の状態を検知し、特定負荷１２が運転状態であれば特定負荷運転ランプ１６を点灯させ、予め設定された特定負荷運転時間ｔ３後に予め定められた時間だけ特定負荷停止用リレー８から停止信号を出力し、特定負荷１２を停止させる。前記使用電力量、前記特定負荷運転状態から運転制御手段４でデマンド時限終了時の使用電力量である予測デマンドを所定時間毎に計算し、予め定められた上限電力量である目標デマンドを超えるときにリレー回路７により、優先順位の低い制御負荷ａ９から順に制御負荷ｂ１０、制御負荷ｃ１１と制御負荷を停止し、前記目標デマンドを超えないときに前記停止した制御負荷をリレー回路７により、優先順位の高い制御負荷ｃ１１から順に制御負荷ｂ１０、制御負荷ａ９と運転させる。また、運転制御手段４により特定負荷停止状態において、特定負荷１２を投入しても予測デマンドが予め定められた上限電力量を超えない状態であれば特定負荷投入余裕ありランプ１３を点灯させ特定負荷投入用リレー１５をＯＮとし、特定負荷１２を投入すると予測デマンドが予め定められた上限電力量を超えて制御負荷を停止させてしまう状態であれば特定負荷投入余裕なしランプ１４を点灯させ特定負荷投入用リレー１５をＯＦＦとする。また、現在デマンド、目標デマンド、デマンド残り時間ｔ２などの各種情報は表示用ＬＣＤ１７で表示する。また、特定負荷運転時間ｔ３、特定負荷の使用電力量ΔＰ１など予め設定が必要な設定値は、表示用ＬＣＤ１７と入力用キー１８で設定する。
【００１７】
図１は縦軸を電力量、横軸を時間とし、デマンド時限内の使用電力量の推移を曲線で示し、デマンド時限終了時の予測デマンドの算出方法を示す図である。図１において、予測デマンド直線１は、現時点ｔ０より直前の単位時間Δｔの間に計測された使用電力量ΔＰ０からΔＰ０／Δｔの傾きを示したものであり、予測デマンド直線２は、特定負荷１２を停止させた状態を想定した電力量（ΔＰ０−ΔＰ１）／Δｔの傾きを示したものである。
【００１８】
図３はデマンド監視制御装置の予測デマンドを算出する手順を示すフローを示す図である。図３において、電力量計６の出力パルスを電力量処理手段３により計測し（ステップＳＴ１０１）、更に単位時間Δｔあたりの使用電力量ΔＰ０として計算する（ステップＳＴ１０２）。特定負荷運転検知手段５により特定負荷１２の運転停止状態を判断し（ステップＳＴ１０３）、特定負荷１２が停止状態、または、特定負荷１２が運転状態かつデマンド残り時間ｔ２が特定負荷運転残り時間ｔ４以下であれば（ステップＳＴ１０４）、予測デマンド直線１ΔＰ０／Δｔの傾きにデマンド残り時間ｔ２を乗じた値を現在デマンドＰｒｅａｌに加え（ステップＳＴ１０５）、デマンド時限終了時の予測デマンドとして算出する。また、特定負荷１２が運転状態かつデマンド残り時間ｔ２が特定負荷運転残り時間ｔ４よりも多ければ、予測デマンド直線１ΔＰ０／Δｔの傾きに特定負荷運転残り時間ｔ４を乗じた値と予測デマンド直線２の特定負荷１２を停止させた状態を想定した（ΔＰ０−ΔＰ１）／Δｔの傾きにデマンド残り時間ｔ２から特定負荷運転時間ｔ３を差し引いた値を乗じた値、それら値と現在デマンドＰｒｅａｌを加えた値をデマンド時限終了時の予測デマンドとする（ステップＳＴ１０６）。
【００１９】
以上のように構成されたデマンド監視制御装置について、以下その動作、作用を説明する。まず、負荷の使用電力量を計測する電力量計からの信号に基づいて所定時間毎の使用電力量を電力量処理手段３により算出し、デマンド時限終了時の使用電力量が予め定められた上限電力量を超えるときに、特定負荷運転検知手段５により特定負荷１２の運転停止状態を判断し、特定負荷１２が運転状態であれば、ΔＰ０／Δｔ×（特定負荷運転残り時間ｔ４）＋（ΔＰ０−ΔＰ１）／（デマンド残り時間ｔ２−特定負荷運転残り時間ｔ４）＋現在デマンドＰｒｅａｌにより予測デマンドを算出する。また、停止状態であれば、ΔＰ０／Δｔ×（デマンド残り時間ｔ２）＋現在デマンドＰｒｅａｌによりデマンド時限終了時の予測デマンドとして算出する。
【００２０】
以上のように、本実施の形態においては特定負荷１２の運転状態を示す特定負荷運転信号により、特定負荷１２の状態を検知する特定負荷運転検知手段を設けたことで、予測デマンドを算出する時に特定負荷１２の運転停止状態が判断でき、予測デマンドの精度を向上させ、不必要な制御負荷停止が抑制される。
【００２１】
図４は、デマンド監視制御装置の特定負荷停止用リレー８のＯＮ／ＯＦＦのタイミングを示す図である。図４において、特定負荷停止用リレー８を特定負荷１２が運転状態から停止状態に遷移する予め設定された特定負荷運転時間ｔ３後、予め定められた時間だけＯＮする。
【００２２】
以上のように、本実施の形態においては特定負荷停止用リレー８の出力を使用して、ランプやブザーを動作させることにより、特定負荷１２が予め定められた運転時間に達したことを周囲が容易に判断でき、特定負荷１２の予め定められた運転時間と実際の特定負荷運転時間のギャップを少なくすることができる。
また、本実施の形態の特定負荷停止用リレー８の出力を特定負荷１２の停止用信号として特定負荷１２に取り込むことにより、自動的に特定負荷１２を停止させることができ、予め設定された特定負荷運転時間ｔ３と実際の特定負荷運転時間のギャップを少なくすることができる。
【００２３】
図５は、表示用ＬＣＤ１７にデマンド監視制御装置の履歴を表示させた図である。図５において、１日の特定負荷平均運転回数と１回あたりの特定負荷平均運転時間を表示用ＬＣＤ１７に表示させる。
【００２４】
図６は、特定負荷運転履歴を取得するプログラム概要の一例を示すフローである。図６において、日替わりが発生した場合（ステップＳＴ１１１でＹＥＳの場合）、日替わり処理を行い（ステップＳＴ１１２）、特定負荷回数・時間カウント処理を行う（ステップＳＴ１１３）。日替わりが発生していない場合（ステップＳＴ１１１でＮＯの場合）、日替わり処理を行わず特定負荷回数・時間カウント処理を行う（ステップＳＴ１１３）。画面切替の有無を判断し（ステップＳＴ１１４）、画面切替が発生した場合、画面表示処理を行う（ステップＳＴ１１５）。これら処理を繰り返す。
【００２５】
図７は、特定負荷運転回数、運転時間の計測方法の一例を示すフローである。図７において、特定負荷運転の有無を判断し（ステップＳＴ１２１）、特定負荷が運転している場合、ＦＬＧを確認し、ＦＬＧが０の場合（ステップＳＴ１２２）、ＦＬＧを１とし（ステップＳＴ１２３）、１日特定負荷運転回数をカウントアップする（ステップＳＴ１２４）。１日特定負荷運転積算時間タイマーカウントをカウントアップする（ステップＳＴ１２５）。ステップＳＴ１２１において、特定負荷が運転していない場合、ＦＬＧを確認し、ＦＬＧが０の場合は全体フローに戻り、ＦＬＧが１の場合は（ステップＳＴ１２６）、ＦＬＧを０とし（ステップＳＴ１２７）、全体フローに戻る。
【００２６】
図８は、日替わり時の特定負荷運転回数、運転時間の処理方法の一例を示すフローである。図８において、日替わり時１日特定負荷運転回数が０であれば（ステップＳＴ１３１）、特定負荷の日替わり処理は行わず、特定負荷運転発生した場合は、特定負荷平均運転時間＝１日特定負荷運転積算時間／１日特定負荷運転回数の式により１回あたりの特定負荷平均運転時間を算出する（ステップＳＴ１３２）。このとき、既にメモリ内に２０日分のデータがあれば（ステップＳＴ１３３）、メモリ内の最も古いデータを削除する（ステップＳＴ１３４）。前記１日特定負荷運転回数と前記１日特定負荷平均運転時間をメモリに記憶する（ステップＳＴ１３５）。日替わり後のデータを積算するために、メモリ記憶させた後に１日特定負荷運転回数、１日特定負荷運転積算時間はクリア（ステップＳＴ１３６）し、全体フローに戻る。
【００２７】
図９は、１日の特定負荷平均運転回数、１回あたりの特定負荷平均運転時間を算出し、表示させる一例を示すフローである。図９において、２０日分の前記１日特定負荷運転回数と前記１回あたりの特定負荷平均運転時間のデータを読出し（ステップＳＴ１４１）、各々平均を算出し（ステップＳＴ１４２）、その算出した平均値を各々１日の特定負荷平均運転回数、１回あたりの特定負荷平均運転時間とし、表示用ＬＣＤ１７などの表示画面に表示させ（ステップＳＴ１４３）、全体フローに戻る。
【００２８】
以上のように、本実施の形態においては特定負荷の一定期間の運転状態を記録する履歴機能を有し、その履歴表示された１日の特定負荷平均運転回数、１回あたりの特定負荷平均運転時間を参考に定期的に特定負荷運転時間ｔ３の再設定をすることで、予め設定された特定負荷運転時間ｔ３と実際の特定負荷運転時間のギャップが少なくなり、更に不必要な制御負荷停止を抑制することができる。
【００２９】
図１０は、デマンド監視制御装置において特定負荷停止状態において他の制御負荷停止させてしまう状態であることをランプ表示させた一例を図に示したものである。図１０において、特定負荷が運転状態であれば、特定負荷運転ランプ１６を点灯させ、特定負荷が停止状態であれば、特定負荷を運転しても予測デマンドが予め定められた上限電力量を超えない状態であれば特定負荷投入余裕ありランプ１３を点灯させ、特定負荷を運転することで予測デマンドが予め定められた上限電力量を超えて制御負荷を停止させてしまう状態であれば特定負荷投入余裕なしランプ１４を点灯させる。
【００３０】
図１１は、特定負荷１２の状態とランプ表示のタイミングの一例を示す図である。図１１において、特定負荷１２が運転状態であれば、特定負荷運転ランプ１６をＯＮとし、特定負荷１２が停止状態、かつ、特定負荷１２の投入により予測デマンドが予め定められた上限電力量を超えない状態であれば、特定負荷投入余裕ありランプ１３をＯＮとし、特定負荷１２が停止状態、かつ、特定負荷１２の投入により予測デマンドが予め定められた上限電力量を超えて制御負荷を停止させてしまう状態であれば、特定負荷投入余裕なしランプ１４をＯＮさせる。
【００３１】
以上のように、本実施の形態においては現時点ｔ０の特定負荷１２の状態を表示させることで、特定負荷１２の運転状態が確認できると共に、特定負荷１２よりも優先順位の高い他の制御負荷を停止させることなく、特定負荷１２を投入することができるかどうか容易に判断できることにより、特定負荷１２の投入のタイミングが判断し易い。
【００３２】
図１２は、デマンド監視制御装置の特定負荷１２が停止状態において、特定負荷１２よりも優先順位の高い他の制御負荷を停止させてしまうことがないように制御された特定負荷投入用リレー１５のタイミングを示す図である。
【００３３】
図１２において、特定負荷１２が停止状態の現時点ｔ０において、特定負荷１２の投入により予測デマンドが予め定められた上限電力量を超えない余裕状態であれば、特定負荷投入用リレー１５をＯＮとし、また、特定負荷１２の投入により予測デマンドが予め定められた上限電力量を超えて制御負荷を停止させてしまう余裕なし状態であれば、特定負荷投入用リレー１５をＯＦＦとする。
【００３４】
以上のように、本実施の形態においては前記リレー出力を特定負荷１２の運転制御信号として使用することにより、特定負荷１２の投入により特定負荷１２よりも優先順位の高い他の制御負荷を停止させてしまうことを防止することができる。
【図面の簡単な説明】
【００３５】
【図１】本発明の実施の形態におけるデマンド監視制御装置の予測デマンドの算出方法を示す図である。
【図２】同上のデマンド監視制御装置の構成を示すブロック図である。
【図３】本発明の実施の形態１におけるデマンド監視制御装置の予測デマンドを算出する手順を示すフローである。
【図４】本発明の実施の形態２におけるデマンド監視制御装置の特定負荷停止用リレーのＯＮ／ＯＦＦのタイミングを示す図である。
【図５】本発明の実施の形態３におけるデマンド監視制御装置の履歴を表示させた図である。
【図６】同上のデマンド監視制御装置の特定負荷運転履歴を取得するプログラム概要の一例を示すフローである。
【図７】同上のデマンド監視制御装置の特定負荷運転回数、運転時間の計測方法の一例を示すフローである。
【図８】同上のデマンド監視制御装置の日替わり時の特定負荷運転回数、運転時間の処理方法の一例を示すフローである。
【図９】同上のデマンド監視制御装置の１日の特定負荷平均運転回数、１回あたりの特定負荷平均運転時間を算出し、表示させる一例を示すフローである。
【図１０】本発明の実施の形態４におけるデマンド監視制御装置の特定負荷の状態をランプ表示させた一例を図である。
【図１１】同上のデマンド監視制御装置の特定負荷の状態とランプ表示のタイミングの一例を示す図である。
【図１２】本発明の実施の形態５におけるデマンド監視制御装置の特定負荷停止状態において、特定負荷よりも優先順位の高い他の制御負荷を停止させてしまうことがないように制御された特定負荷投入用リレーのタイミングを示す図である。
【図１３】従来のデマンド監視制御装置の予測デマンド算出方法を示す図である。
【符号の説明】
【００３６】
１  予測デマンド直線１
２  予測デマンド直線２
３  電力量処理手段
４  運転制御手段
５  特定負荷運転検知手段
６  電力量計
７  リレー回路
８  特定負荷停止用リレー
９  制御負荷ａ
１０  制御負荷ｂ
１１  制御負荷ｃ
１２  特定負荷
１３  特定負荷投入余裕ありランプ
１４  特定負荷投入余裕なしランプ
１５  特定負荷投入用リレー
１６  特定負荷運転ランプ
１７  表示用ＬＣＤ
１８  入力用キー
ｔ０  現時点
ｔ１  経過時間
ｔ２  デマンド残り時間
ｔ３  特定負荷運転時間
ｔ４  特定負荷運転残り時間
Δｔ  単位時間
ΔＰ０  単位時間あたりの使用電力量
ΔＰ１  単位時間あたりの特定負荷の使用電力量
Ｐｒｅａｌ  現在デマンド
【図１】
2009177858.tif 000003
【図２】
2009177858.tif 000004
【図３】
2009177858.tif 000005
【図４】
2009177858.tif 000006
【図５】
2009177858.tif 000007
【図６】
2009177858.tif 000008
【図７】
2009177858.tif 000009
【図８】
2009177858.tif 000010
【図９】
2009177858.tif 000011
【図１０】
2009177858.tif 000012
【図１１】
2009177858.tif 000013
【図１２】
2009177858.tif 000014
【図１３】
2009177858.tif 000015